(57)【要約】【課題】ユーザからの指示がなくても、媒体先端位置の検出の判断基準が使用する印刷媒体に応じて最適に調整される印刷装置を提供する。【解決手段】印刷開始前に、印刷媒体に記録されているバーコードを読み取り（Ｓ４）、読み取ったバーコードから印刷媒体の特性情報（印刷媒体の材質やタイプの分類）を識別する。そして、媒体検出センサによって媒体先端位置を検出するための判断基準（印刷媒体検出条件）を印刷媒体の分類毎に対応して記述した設定テーブルを参照して、識別した特性情報に応じた印刷媒体検出条件を設定する（Ｓ５）。その後、印刷媒体を巻き戻しつつ（Ｓ６）、媒体検出センサの検出位置に印刷媒体の媒体先端位置が来たかどうかを、Ｓ５で設定された判断基準に照らして判断する。【選択図】  図６
2005001135.tif 000002
【特許請求の範囲】
【請求項１】
印刷媒体を搬送する搬送手段と、
印刷媒体の搬送経路における所定位置において印刷媒体の先端を検出する検出手段と、
使用する印刷媒体の特性情報を識別する識別手段と、
識別された前記特性情報に応じて前記検出手段における検出判断基準を設定する設定手段と、
を有することを特徴とする印刷装置。
【請求項２】
前記検出手段は、前記所定位置に並設された透過型センサと反射型センサとを含み、
前記特性情報に応じて、前記透過型センサまたは反射型センサを選択する選択手段を更に有することを特徴とする請求項１に記載の印刷装置。
【請求項３】
前記選択手段は、
前記使用する印刷媒体が剥離シートに所定の間隔で複数貼り合わされたタイプで、かつ、当該印刷媒体が透明もしくは半透明であると前記識別手段によって識別された場合に、前記反射型センサを選択することを特徴とする請求項２に記載の印刷装置。
【請求項４】
印刷媒体の搬送経路における所定位置において印刷媒体の先端を検出するためのセンサを有する印刷装置の制御方法であって、
使用する印刷媒体の特性情報を識別するステップと、
識別された前記特性情報に応じて、前記センサによる検出判断基準を設定するステップと、
前記センサの出力を前記検出判断基準に照らして、前記所定位置に前記印刷媒体の先端が来たかどうかを判断するステップと、
を有することを特徴とする印刷装置の制御方法。
【請求項５】
印刷媒体の搬送経路における所定位置に並設された透過型センサと反射型センサとを有する印刷装置の制御方法であって、
使用する印刷媒体の特性情報を識別するステップと、
識別された前記特性情報に応じて、前記透過型センサまたは反射型センサを選択するとともに、選択したセンサによる検出判断基準を設定するステップと、
選択した前記センサの出力を前記検出判断基準に照らして、前記所定位置に印刷媒体の先端が来たかどうかを判断するステップと、
を有することを特徴とする印刷装置の制御方法。
【発明の詳細な説明】
【０００１】
【発明の属する技術分野】
本発明は、印刷装置に関し、特に印刷媒体の位置合わせの技術に関する。
【０００２】
【従来の技術】
従来より、什器や壁などに貼り付けることのできる粘着シートラベルを印刷媒体とする印刷装置が知られている。この印刷媒体は通常、長尺の剥離シートに印刷対象のラベルシートが粘着剤によって貼り合わされ、ロール状に巻かれて提供される。印刷装置はこのロール状に巻かれた印刷媒体を収容し、その先端を引き出して印刷を行う。
【０００３】
このような印刷装置においては、印刷媒体の先端位置（媒体先端位置）を正確に印字位置に合わせるために、印刷媒体の搬送中に、その先端位置が所定位置に到達したことを検出する機構が必要である。かかる検出機構には一般に光学センサが使用される。具体的には例えば、印刷媒体の搬送経路を挟んで相対向する位置に投光器および受光器を設け、印刷媒体の搬送中に投光器から受光器に向けて所定量の光を発し、受光器の受光量（すなわち、印刷媒体の透過光量）をモニタする。そして、受光器の受光量がしきい値以下になったところで、その印刷媒体の先端がその検出位置に到達したと判断する（例えば、特許文献１を参照。）。
【０００４】
しかし、ラベルシートには、ポリ塩化ビニル（ＰＶＣ）、オレフィン、ポリエチレンテレフタラート（ＰＥＴ）、ソフトアクリル、ウレタン、紙、感熱紙など、さまざまな材質が使用され、それぞれ透過光量が異なる。また、ラベルシートの透明度や着色によっても透過光量は異なる。そのため、上記したようなセンサを用いて同じ判断基準で媒体先端位置を検出しようとすると、印刷媒体の種類によっては誤検出してしまう場合があった。
【０００５】
このような問題に対処するために、使用する印刷媒体の種類をユーザが入力すると、それに応じて媒体先端位置の検出の判断基準を調整する機能を備えた印刷装置が開発されている。また、検出の判断基準をユーザが直接変更することができるように構成することも可能になっている。
【０００６】
【特許文献１】
特許第３３２０８６０号公報
【０００７】
【発明が解決しようとする課題】
しかしながら現実には、多くのユーザは印刷媒体の種類を指定したり、媒体先端位置の検出の判断基準を調整したりする必要性を認識していない。そのため結局、使用する印刷媒体の先端位置の検出判断基準が不適切なまま印刷が行われてしまい、高品質な印刷結果を提供できない場合がある、という問題があった。
【０００８】
本発明はこのような問題に鑑みてなされたもので、ユーザからの指示がなくても、媒体先端位置の検出の判断基準が使用する印刷媒体に応じて最適に調整される印刷装置を提供することを目的とする。
【０００９】
【課題を解決するための手段】
本発明の一側面によれば、印刷媒体を搬送する搬送手段と、印刷媒体の搬送経路における所定位置において印刷媒体の先端を検出する検出手段と、使用する印刷媒体の特性情報を識別する識別手段と、識別された前記特性情報に応じて前記検出手段における検出判断基準を設定する設定手段とを有することを特徴とする印刷装置が提供される。
【００１０】
本発明の他の側面によれば、印刷媒体の搬送経路における所定位置において印刷媒体の先端を検出するためのセンサを有する印刷装置の制御方法であって、使用する印刷媒体の特性情報を識別するステップと、識別された前記特性情報に応じて、前記センサによる検出判断基準を設定するステップと、前記センサの出力を前記検出判断基準に照らして、前記所定位置に前記印刷媒体の先端が来たかどうかを判断するステップとを有することを特徴とする印刷装置の制御方法が提供される。
【００１１】
【発明の実施の形態】
以下、図面を参照して本発明の好適な実施形態について詳細に説明する。
【００１２】
（実施形態１）
まず、本実施形態における印刷装置で使用する印刷媒体について説明するとともに、実施形態における印刷装置の機構を説明し、その上で実施形態における印刷装置の制御処理について説明する。
【００１３】
本実施形態では、什器や壁などに貼り付けることのできる粘着シートラベルを印刷媒体とするサーマルプリンタを例に説明する。この印刷媒体は、長尺の剥離シートに印刷対象のラベルシートが粘着剤によって貼り合わされたものである。具体的には、例えば図１に示すように、長尺状の剥離シート２に所定の間隔（通常は等間隔）で印刷媒体としての複数のシートラベル１が連続して貼り合わされ、芯（コア）３にロール状に巻かれた状態で提供される。印刷媒体は図２に示すようなタイプのものでもよい。これは、図１のようにあらかじめ分割されたシートラベルではなく、長尺の一枚のシートラベル４であり、これに粘着剤５が塗布され、シートラベル４と同一形状の剥離シート６と貼り合わされて、コア３にロール状に巻かれたものである。本明細書では便宜的に、図１に示したようなあらかじめ分割されたシートラベルのことを「ダイカットラベル」とよび、図２に示したような切れ目のないシートラベルのことを「ロールシート」とよぶ。これらの印刷媒体はさまざまな材質、幅、厚みのものが用意されており、ユーザは用途に応じて適当なものを選択することができる。シートラベルの材質にはさまざまなものが使用されうるが、本実施形態では例えば、ポリエチレンテレフタラート（ＰＥＴ）、オレフィン、ポリ塩化ビニル（ＰＶＣ）、ポリプロピレンのいずれかが使用されるものとする。
【００１４】
ところで、実施形態で使用する印刷媒体における剥離シートには、図３に示すように、シートラベルの材質などの特性を示す情報（以下、「特性情報」という。）が例えばバーコードによって記録されている。バーコードはプリンタにおいて、後述するマーキング検出センサによって読み取られる。
【００１５】
なお、上記のようなバーコードに代えて、特性情報をＯＣＲ装置で読み取り可能な符号で記録してもよいし、特性情報を示す磁気パターンを印刷するようにしてもよい。もちろん、特性情報がＯＣＲ装置で読み取り可能な符号として記録される場合には、プリンタにはそれに応じてマーキング検出センサではなくＯＣＲリーダが設けられ、また、特性情報が磁気パターンとして印刷される場合には、磁気パターンリーダが設けられることになる。
【００１６】
図４は、実施形態における印刷装置としてのサーマルプリンタの要部構成を示す図である。
【００１７】
このサーマルプリンタ１０は、ホストコンピュータから有線または無線のキャリアを介して送信される印刷データおよび制御信号に基づいて印刷処理を行うもので、図１、図２に示したようなロール状に巻かれた印刷媒体１１を引き出して搬送し、この搬送過程で搬送路上に設置されたサーマルヘッド１４を発熱させて印刷を行う。
【００１８】
サーマルプリンタ１０は印刷媒体１１を搬送する手段として、搬送ローラ１８ａ、１８ｂとプラテンローラ１７とを備える。この搬送ローラ１８ａ、１８ｂはサーマルヘッド１４よりも上流側（印刷媒体１１の設置位置側）で、互いに対向して印刷媒体１１を挟むように設けられている。また、プラテンローラ１７はサーマルヘッド１４に対向する位置に設けられる。搬送ローラ１８ａおよびプラテンローラ１７は図示しないステッピングモータの駆動により回転し、印刷媒体１１を正逆方向に搬送する。
【００１９】
サーマルヘッド１４は印刷時にプラテンローラ１７に対してインクリボン１２を挟んで印刷媒体１１のシートラベル側に圧接される。この圧接状態でサーマルヘッド１４を発熱させることにより、インクリボン１２のインクを溶融してシートラベルに所定の印刷データを印刷する。本明細書では、印刷媒体がサーマルヘッド１４に圧接されるこの位置を「印刷位置」と称する。
【００２０】
サーマルヘッド１４の下流側には、印刷媒体の搬送経路を挟んで相対向する位置に配される投光器１５ａおよび受光器１５ｂで構成される透過型の媒体検出センサ１５が設けられている。このセンサは、印刷媒体１１の媒体先端位置が所定位置に到達したことを検出するためのものである。また、読み取り手段としての反射型のマーキング検出センサ１６が、剥離シートにおけるバーコードの記録面と対向するように設けられている。図示の例では、このマーキング検出センサ１６は印刷媒体の搬送方向において媒体検出センサ１５とほぼ同じ位置に設けられている。もっとも、バーコードの読み取りが可能である限り媒体検出センサ１５とは離れたところに設けてもよい。
【００２１】
印刷媒体の搬送中、投光器１５ａは受光器１５ｂに向けて所定光量の光を継続的に発する。受光器１５ｂは受光量（すなわち、印刷媒体の透過光量）に応じた電圧を出力する。この出力電圧をモニタし、受光器１５ｂの出力電圧がしきい値未満となったところで、媒体先端位置がその検出位置に来たと判断する。なお、図２に示したような、剥離シートと合同の一枚のシートラベルの場合は、その「媒体先端位置」はシートラベルの先端位置そのものであるが、他方、図１に示したような、複数のシートラベルが所定間隔で剥離シートに配列された印刷媒体の場合は、その「媒体先端位置」は剥離シートの先端ではなくシートラベルの先端の位置であることに留意されたい。検出判断基準としてのしきい値は、このことを考慮した値に設定される。そして本実施形態では、このしきい値が、セットされた印刷媒体に応じて設定される（詳細は後述する。）。
【００２２】
次いで、図５を参照してサーマルプリンタ１０の制御回路について説明する。同図に示すように、制御回路２０は、装置全体の制御を統括的に行うＣＰＵ５１、制御プログラムや固定データを格納するＲＯＭ５２、印刷データ等を一時的に記憶すると共にＣＰＵ５１のワークエリアとなるＲＡＭ５３をはじめ、以下の構成を備える。
【００２３】
５４はラスタライズされた印刷データを記憶する画像メモリである。５５はサーマルヘッド１４を駆動するヘッドドライバ、５７は各種ローラに接続されたステッピングモータ５８を駆動するモータドライバである。また、５９および６０はそれぞれ、マーキング検出センサ１６および媒体検出センサ１５から取り込んだ光信号を電気信号に変換するＩ／Ｏである。また、６２はホストコンピュータ７０と通信するためのインタフェース（Ｉ／Ｆ）である。
【００２４】
また、外部装置であるホストコンピュータ７０がＩ／Ｆ６２を介してサーマルプリンタに電気的に接続されている。Ｉ／Ｆ６２は、ホストコンピュータ７０から印刷データおよび制御信号を受信すると共にサーマルプリンタ１０の印刷状況をホストコンピュータ７０に送信することができる。
【００２５】
ヘッドドライバ５５は、画像メモリ５４に展開された印刷データを記憶するレジスタと、ＣＰＵ５１から入力されるラッチ信号によりレジスタから印刷データをシリアルに読み出してラッチするラッチアレイと、ＣＰＵ５１から送られるストローブ信号がＬレベルのときにサーマルヘッド１４をアクティブにして発熱させるＡＮＤアレイとを備えている。
【００２６】
以下、サーマルプリンタ１０の印刷動作について図６のフローチャートを参照して説明する。
【００２７】
ホストコンピュータ７０から印刷の実行を指示する制御信号が入力されると、まず印刷媒体１１やインクリボン１２等が適正にセットされていることが確認され、適正にセットされていれば、媒体検出センサ１５がオンになっているかどうか、すなわち、媒体検出センサ１５の検出位置に印刷媒体１１があるか否かが判断される（ステップＳ１）。例えば、媒体検出センサ１５の出力電圧Ｓが１．５ｖ未満であれば媒体検出センサ１５の検出位置に印刷媒体１１があると判断し、Ｓが１．５ｖ以上あればその位置に印刷媒体１１はないと判断する。印刷媒体１１が媒体検出センサ１５の検出位置にあればステップＳ２に進むが、印刷媒体１１が媒体検出センサ１５の検出位置になければ、印刷媒体搬送用のステッピングモータ５８を駆動し、搬送ローラ１８ａおよびプラテンローラ１７を正回転させて印刷媒体１１を下流側（排出側）に搬送する（ステップＳ２）。この排出側への搬送は媒体検出センサ１５によって印刷媒体１１の先端位置が検出されるまで行われ、印刷媒体１１の先端位置が検出された時点でステップＳ３に進む。
【００２８】
ステップＳ３では、印刷媒体搬送用のステッピングモータ５８を駆動し、搬送ローラ１８ａおよびプラテンローラ１７を正回転させて印刷媒体１１を下流側（排出側）に搬送し、その搬送中、ステップＳ４でマーキング検出センサ１６によりバーコードを読み取る。
【００２９】
続くステップＳ５では、読み取ったバーコードから印刷媒体１１の特性情報を識別する。特性情報は例えば印刷媒体のタイプ（ロールシート／ダイカットラベル）および材質を含む。そして、特定された材質に応じた印刷媒体検出条件（印刷媒体の先端位置を検出するための判断基準）を設定する。具体的には例えば、図７に示すような構造の設定テーブルをＲＯＭ５２に予め格納しておき、このステップＳ５で、この設定テーブルを参照することにより印刷媒体検出条件を設定する。設定された印刷媒体検出条件は例えばＲＡＭ５３に記憶される。
【００３０】
ここで、図７に示した設定テーブルについて説明する。本実施形態における印刷媒体１１のバーコードは９ビット単位で構成され、黒のバーが‘１’、白のバー（スペース）が‘０’に対応するものとする。バーコードの解読開始後、‘１’が検出されるとそれがスタートビットとして認識される。また、第６ビットから第９ビットはコード終了ビットであり、第６ビットから４ビット連続で‘０’が検出されればコード終了と認識される。そして、第２から第５ビットがデータ領域であり、具体的には、第２、３ビットが材質を示し、第４、５ビットがタイプ（ロールシート／ダイカットラベル）を示している。第２、３ビットにおいて、‘００’はＰＥＴ、‘０１’はオレフィン、‘１０’はＰＶＣ、‘１１’はポリプロピレン（ＰＬＹＰＲＯＰ）に対応する。また、第４，５ビットにおいて、‘１０’はロールシート、‘０１’はダイカットラベルに対応する。このように設定テーブルを参照することでバーコードに対応する印刷媒体の特性情報（タイプおよび材質）が特定される。
【００３１】
設定テーブルにはさらに、印刷媒体の特性情報に対応する印刷媒体検出条件が記述されている。先述したように本実施形態では、透過型の媒体検出センサ１５の出力電圧を用いて媒体先端位置が到達したことを検出するので、印刷媒体検出条件は媒体検出センサ１５の出力電圧Ｓで表される。図示の設定テーブルによれば、たとえばＰＥＴ製のロールシートの場合は、センサ出力Ｓ≧１．５ｖのときは媒体なしと判断され、Ｓ＜１．５ｖで媒体先端位置と判断されるように設定される。また、ＰＥＴ製のダイカットラベルの場合は、Ｓ≧３．０ｖであれば媒体なし、１．５ｖ≦Ｓ＜３．０ｖであれば剥離シートのみの部分（ラベルなしの部分）、Ｓ＜１．５ｖであれば媒体先端位置（ラベル部）と判断されるように設定される。つまり、ＰＥＴ製の場合には、少なくとも媒体先端位置の判定条件として１．５ｖがしきい値に設定されることになる。同様に、オレフィン製の場合には２．０ｖがしきい値に設定され、ＰＶＣ製およびポリプロピレン製の場合には１．０ｖがしきい値に設定されることになる。本実施形態ではこのように設定テーブルを参照することにより、印刷媒体の特性情報に応じて媒体先端位置を検出するための判断基準が設定される。
【００３２】
説明を図６のフローチャートに戻す。ステップＳ５の印刷媒体検出条件の設定を終えると、ステップＳ６に進み、搬送ローラ１８ａ及びプラテンローラ１７を逆回転させて印刷媒体１１を上流側（供給側）に搬送する（印刷媒体１１を巻き戻す）。ステップＳ７では、媒体検出センサ１５の検出位置に印刷媒体１１の先端位置が来たかどうかを、ステップＳ５で設定された判断基準に照らして判断する。このステップＳ６およびＳ７は、ステップＳ７で媒体検出センサ１５の検出位置に印刷媒体１１の先端位置が来たと判断されるまで繰り返される。つまり、媒体検出センサ１５の検出位置に印刷媒体１１の先端位置が来た時点で搬送を一旦中止することにより印刷媒体１１の頭出し動作が完了する。
【００３３】
続いてステップＳ８で、印刷媒体１１の先端位置が印刷位置（サーマルヘッド１４に対向する位置）に位置するまで供給側に搬送される。このように、ステップＳ１〜Ｓ８までの処理によって印刷媒体１１の先端位置が印刷位置に位置決めされる。
【００３４】
そして、ステップＳ９に進み、印刷処理が開始される。つまり、印刷媒体１１が印刷位置から排出側に搬送を開始されると共にストローブ信号がヘッドドライバ５５に入力されてサーマルヘッド１４が発熱し、先端余白長さ分余熱をかけながら印刷が行われる。
【００３５】
このように、本実施形態によれば、印刷を実行する前に、使用する印刷媒体の特性情報（材質やタイプ）が識別され、識別された特性情報に応じて媒体検出センサによる検出判断基準が設定される。そして、媒体検出センサの出力をその検出判断基準に照らして、印刷媒体の先端位置が所定位置（媒体検出センサの検出位置）に来たかどうかを判断する。これにより、使用する印刷媒体の材質等に応じた最適な判断基準で媒体先端位置を検出することができる。
【００３６】
（実施形態２）
上述した実施形態１では、印刷媒体がロールシートかダイカットラベルかに関わらず、透過型の媒体検出センサ１５でもって媒体先端位置を検出するようにしていた。印刷対象であるラベル部が不透明である場合にはこれで十分に検出精度を確保することができる。
【００３７】
しかし、透明または半透明のダイカットラベルの場合には、剥離シートのみの部分とラベル部とでは透過型の媒体検出センサの出力に明確な差が現れないために検出精度が落ちてしまい、この場合にはむしろ反射型の検出センサを用いたほうが検出精度がよいことが経験上知られている。
【００３８】
そこで、本実施形態では、媒体先端位置の検出用のセンサとして透過型のセンサと反射型のセンサの両方を備え、使用する印刷媒体に応じていずれかを選択し、その上で媒体先端位置を検出するための判断基準を最適なところに設定するようにする。
【００３９】
図８は、本実施形態におけるサーマルプリンタの要部構成を示す図である。このサーマルプリンタの構成は図４に示したものと概ね同様であり、同じ構成要素には同じ参照番号を付してある。相違する点は、印刷媒体１１の搬送経路の所定位置において、印刷媒体１１の幅方向（すなわち、印刷媒体１１の搬送方向に直交する方向）に、反射型の媒体検出センサ１９が透過型の媒体検出センサ１５と並列に設けられている点である。図９は、実施形態における透過型の媒体検出センサ（以下、単に「透過型センサ」という。）１５、反射型の媒体検出センサ（以下、単に「反射型センサ」という。）１９、ならびにマーキング検出センサ１６の位置関係を具体的に示す図である。図示のとおり、透過型センサ１５と反射型センサ１９とは、印刷媒体１１の搬送経路における所定位置において、印刷媒体１１の幅方向の中央からそれぞれ相反する方向にオフセットした位置に配置される。
【００４０】
図１０は、本実施形態におけるサーマルプリンタの制御回路の構成を示す図である。この制御回路の構成は図５に示したものと概ね同様であり、同じ構成要素には同じ参照番号を付してある。相違する点は、Ｉ／Ｏ６１を介して反射型センサ１９に接続されている点である。ＣＰＵ５１は、後述するように、透過型センサ１５と反射型センサ１９とを選択的に使用して印刷媒体の媒体先端位置の検出処理を行う。
【００４１】
本実施形態におけるサーマルプリンタの印刷動作は実施形態１と同様で、図６のフローチャートに従って行われる。ただし、ＲＯＭ５２に予め格納される設定テーブルは図７のテーブルに替えて図１１に示すようなテーブルとなる。第２、３ビットが材質を示す点は図７と同じであるが、第４，５ビットにおいて、‘１１’が透明・半透明のダイカットラベルに対応する点、および、印刷媒体の分類に対応して選択する検出センサが記述されている点が異なっている。そして、印刷媒体１１が透明・半透明のダイカットラベルであった場合には、反射型センサ１９が選択され、それ以外の場合には透過型センサ１５が選択される。
【００４２】
そして、ステップＳ１では、透過型センサ１５を用いて、実施形態１と同様に、透過型センサ１５の検出位置に印刷媒体１１があるかどうかを判断する。例えば、透過型センサ１５の出力電圧Ｓが１．５ｖ未満であれば透過型センサ１５の検出位置に印刷媒体１１があると判断し、Ｓが１．５ｖ以上あれば印刷媒体１１はないと判断する。
【００４３】
また、ステップＳ５では、図１１に示したような設定テーブルを参照することにより、透過型センサ１５または反射型センサ１９のいずれかを選択し、対応する媒体検出条件を設定する。そして、ステップＳ７では、ＣＰＵ５１は選択されたセンサの出力を判断基準に照らして、検出位置に印刷媒体１１の先端位置が来たかどうかを判断する。
【００４４】
このように、本実施形態によれば、印刷媒体の搬送経路における所定位置に透過型センサと反射型センサが並設され、識別された特性情報に応じて使用するセンサが選択され、その上でそのセンサの検出判断基準が設定される。これにより、とりわけ透明・半透明のダイカットラベルが使用されるときには反射型センサが選択されるようにすることができるので、透明・半透明のダイカットラベルの媒体先端位置を精度よく検出することができる。
【００４５】
（変形例）
なお、本明細書におけるバーコードとは、一定幅のバーの有無で０，１を表すものに限らず、線幅や間隔それ自体、もしくはそれらの組み合わせ（パターン）に情報を持たせたものをも含む。図１２は、図１１の設定テーブルの変形例である。各々３ｍｍ幅の黒−白−黒のパターンが検出されるとそれがスタートパターンとして認識される。そして、続く白の幅が材質を示す。具体的には、その白の幅が２ｍｍであればＰＥＴ、３ｍｍであればＰＶＣ、４ｍｍであればオレフィン、５ｍｍであればポリプロピレンを示す。その次の黒の幅はタイプ（ロールシート／ダイカットラベル）を示す。具体的には、２ｍｍであればロールシート、３ｍｍであれば不透明のダイカットラベル、４ｍｍであれば透明・不透明のダイカットラベルを示す。そして、続く白の幅がそれぞれ図示のように設定されることで、パターン長が３３ｍｍに統一されている。このような態様によっても効率よく印刷媒体の特性を表現することが可能である。
【００４６】
【発明の効果】
本発明によれば、ユーザからの指示がなくても、媒体先端位置の検出の判断基準が使用する印刷媒体に応じて最適に調整される。
【図面の簡単な説明】
【図１】実施形態における印刷媒体の一例を示す図である。
【図２】実施形態における印刷媒体の別の例を示す図である。
【図３】実施形態におけるバーコードの記録例を示す図である。
【図４】実施形態１におけるサーマルプリンタの要部構成を示す図である。
【図５】実施形態１におけるサーマルプリンタの制御回路の構成を示す図である。
【図６】実施形態におけるサーマルプリンタの印刷動作を示すフローチャートである。
【図７】実施形態１における設定テーブルの一例を示す図である。
【図８】実施形態２におけるサーマルプリンタの要部構成を示す図である。
【図９】実施形態２における透過型の媒体検出センサと反射型の媒体検出センサとの位置関係を具体的に示す図である。
【図１０】実施形態２におけるサーマルプリンタの制御回路の構成を示す図である。
【図１１】実施形態２における設定テーブルの一例を示す図である。
【図１２】設定テーブルの変形例を示す図である。
【図１】
2005001135.tif 000003
【図２】
2005001135.tif 000004
【図３】
2005001135.tif 000005
【図４】
2005001135.tif 000006
【図５】
2005001135.tif 000007
【図６】
2005001135.tif 000008
【図７】
2005001135.tif 000009
【図８】
2005001135.tif 000010
【図９】
2005001135.tif 000011
【図１０】
2005001135.tif 000012
【図１１】
2005001135.tif 000013
【図１２】
2005001135.tif 000014